【手続補正書】
【提出日】令和2年11月27日(2020.11.27)
【手続補正１】
【補正対象書類名】特許請求の範囲
【補正対象項目名】全文
【補正方法】変更
【補正の内容】
【特許請求の範囲】
【請求項１】
孔部が形成された壁部を有する原子炉建屋と、
前記孔部を貫通する配管と、
前記配管を外周側から囲む筒状をなして、前記配管を前記壁部に支持するスリーブと、
前記スリーブの外周に設けられて、前記スリーブを冷却するスリーブ冷却機構と、を備える原子力プラント。
【請求項２】
前記スリーブ冷却機構は、
前記スリーブの外周面に沿って延在する管状の伝熱管と、
前記伝熱管に冷却水を供給する給水装置と、
前記伝熱管が前記スリーブの外周面に接するように、前記伝熱管を前記スリーブに固定するバンド部材と、
前記伝熱管と前記スリーブの外周面との間に充填されたペースト状の伝熱媒体と、を有する請求項１に記載の原子力プラント。
【請求項３】
前記伝熱管と前記スリーブとの間には、カーボンシートが配置されている請求項２に記載の原子力プラント。
【請求項４】
前記スリーブ冷却機構は、
前記スリーブに固定され、前記スリーブの外周面に面接触する円筒面を有するクランプ部と、
前記クランプ部に接合されたフィンと、を有する金属製の構造体である請求項２又は請求項３に記載の原子力プラント。
【請求項５】
前記スリーブの略半周を覆う一対の前記クランプ部を有し、
一対の前記クランプ部は、前記スリーブの上端近傍と、前記スリーブの下端近傍で接続されている請求項４に記載の原子力プラント。
【請求項６】
前記フィンは、前記スリーブの軸線方向を向く主面を有する板状をなし、周方向に複数に分割されている請求項４又は請求項５に記載の原子力プラント。
【請求項７】
前記構造体の上方に配置され、軸線が鉛直方向に沿う筒状のダクトを有する請求項４から請求項６のいずれか一項に記載の原子力プラント。
【請求項８】
前記スリーブ冷却機構は、
前記スリーブの外周面に周方向に沿い、前記外周面に接触しながら延在する第一パイプと、
一端が前記第一パイプの上端に接続され、他端が前記一端よりも上方となるように形成された第二パイプと、
上端が前記第二パイプの上端に接続されて上下方向に延在する第三パイプと、
前記第三パイプの下端と前記第一パイプの下端とを接続する第四パイプと、を有するヒートパイプと、
前記ヒートパイプに封入された冷媒と、を有する請求項２から請求項７のいずれか一項に記載の原子力プラント。
【請求項９】
前記第三パイプの一部を外周から囲む筒状をなすヒートパイプ用ダクトを有する請求項８に記載の原子力プラント。
【請求項１０】
前記第三パイプの一部は、前記第三パイプの外周面に接合され、前記第三パイプに沿って延在する金属製の第一ヒートパイプ用フィンを有する請求項８又は請求項９に記載の原子力プラント。
【請求項１１】
前記第三パイプと並列となるように、前記第二パイプ及び前記第四パイプに接続された第五パイプと、
前記第五パイプの外周面に接合され、前記第五パイプの延在方向と交差する主面を有する複数の第二ヒートパイプ用フィンと、を有する請求項１０に記載の原子力プラント。
【請求項１２】
前記スリーブ冷却機構は、
前記スリーブの外周面に周方向に沿い、前記外周面に接触しながら延在する第五パイプであって、前記スリーブの周方向で前記第一パイプとは異なる範囲に配置された第五パイプと、
前記第五パイプの上端に接続され、他端が前記一端よりも上方となるように形成された第六パイプと、
上端が前記第六パイプの上端に接続されて上下方向に延在する第七パイプと、
前記第七パイプの下端と前記第五パイプの下端とを接続する第八パイプと、を有する第二ヒートパイプと、
前記第二ヒートパイプに封入された冷媒と、を有する請求項８から請求項１１のいずれか一項に記載の原子力プラント。
【請求項１３】
前記スリーブ冷却機構は、
前記スリーブに固定され、前記スリーブの外周面に面接触する円筒面を有するクランプ部と、
前記クランプ部に接合されたフィンと、を有する金属製の構造体である請求項１に記載の原子力プラント。
【請求項１４】
前記スリーブ冷却機構は、
前記スリーブの外周面に周方向に沿い、前記外周面に接触しながら延在する第一パイプと、
一端が前記第一パイプの上端に接続され、他端が前記一端よりも上方となるように形成された第二パイプと、
上端が前記第二パイプの上端に接続されて上下方向に延在する第三パイプと、
前記第三パイプの下端と前記第一パイプの下端とを接続する第四パイプと、を有するヒートパイプと、
前記ヒートパイプに封入された冷媒と、を有する請求項１に記載の原子力プラント。
【請求項１５】
孔部が形成された壁部を有する原子炉建屋と、
前記孔部を貫通する配管本体と、前記配管本体の外周面から径方向外側に突出するとともに、前記壁部に固定されたフランジと、を有する配管と、
前記フランジの一面に設けられて、前記フランジを冷却するフランジ冷却機構と、を備える原子力プラント。
【請求項１６】
配管を支持するスリーブを冷却するスリーブ冷却機構であって、
前記スリーブの外周面に配置されるヒートパイプと、
前記ヒートパイプに封入された冷媒と、を有するスリーブ冷却機構。
【請求項１７】
前記ヒートパイプは、
前記スリーブの外周面に周方向に沿い、前記外周面に接触しながら延在する第一パイプと、
一端が前記第一パイプの上端に接続され、他端が前記一端よりも上方となるように形成された第二パイプと、
上端が前記第二パイプの上端に接続されて上下方向に延在する第三パイプと、
前記第三パイプの下端と前記第一パイプの下端とを接続する第四パイプと、を有するヒートパイプと、
を有する請求項１６に記載のスリーブ冷却機構。
【請求項１８】
前記第三パイプは、前記第三パイプの外周から囲む筒状をなすヒートパイプ用ダクトを有する請求項１７に記載のスリーブ冷却機構。
【請求項１９】
前記第三パイプは、前記第三パイプの外周面に接合され、前記第三パイプに沿って延在する金属製の第一ヒートパイプ用フィンを有する請求項１７又は請求項１８に記載のスリーブ冷却機構。
【請求項２０】
前記第三パイプと並列となるように、前記第二パイプ及び前記第四パイプに接続された第五パイプと、
前記第五パイプの外周面に接合され、前記第五パイプの延在方向と交差する主面を有する複数の第二ヒートパイプ用フィンと、を有する請求項１９に記載のスリーブ冷却機構。
【請求項２１】
前記スリーブの外周面に周方向に沿い、前記外周面に接触しながら延在する第五パイプであって、前記スリーブの周方向で前記第一パイプとは異なる範囲に配置された第五パイプと、
前記第五パイプの上端に接続され、他端が前記一端よりも上方となるように形成された第六パイプと、
上端が前記第六パイプの上端に接続されて上下方向に延在する第七パイプと、
前記第七パイプの下端と前記第五パイプの下端とを接続する第八パイプと、を有する第二ヒートパイプと、
前記第二ヒートパイプに封入された冷媒と、をさらに有する請求項１７から２０のいずれか一項に記載のスリーブ冷却機構。
【請求項２２】
配管を支持するスリーブを冷却するスリーブ冷却機構であって、
前記スリーブの外周面に接触する構造体を有するスリーブ冷却機構。
【請求項２３】
前記構造体は、
前記スリーブの外周面に面接触する円筒面を有し前記スリーブに固定するクランプ部と、
前記クランプ部に接合されたフィンと、を有する請求項２２に記載のスリーブ冷却機構。
【請求項２４】
前記フィンは、前記スリーブの軸線方向を向く主面を有する板状をなし、周方向に複数に分割されている請求項２３に記載のスリーブ冷却機構。
【手続補正２】
【補正対象書類名】明細書
【補正対象項目名】発明の名称
【補正方法】変更
【補正の内容】
【発明の名称】原子力プラント、及びスリーブ冷却機構
【手続補正３】
【補正対象書類名】明細書
【補正対象項目名】０００１
【補正方法】変更
【補正の内容】
【０００１】
本発明は、原子力プラント、及びスリーブ冷却機構に関する。
【手続補正４】
【補正対象書類名】明細書
【補正対象項目名】０００６
【補正方法】変更
【補正の内容】
【０００６】
この発明は、壁部の温度上昇を抑制することができる原子力プラント、及びスリーブ冷却機構を提供することを目的とする。
【手続補正５】
【補正対象書類名】明細書
【補正対象項目名】００３２
【補正方法】変更
【補正の内容】
【００３２】
このような構成によれば、フランジ冷却機構によってフランジが冷却されることにより、配管からフランジを介して壁部に伝わる熱を低減することができる。これにより、壁部の温度を許容値以下にするのを容易とすることができる。
本発明の第三の態様によれば、スリーブ冷却機構は、配管を支持するスリーブを冷却するスリーブ冷却機構であって、前記スリーブの外周面に配置されるヒートパイプと、前記ヒートパイプに封入された冷媒と、を有する。
上記スリーブ冷却機構において、前記ヒートパイプは、前記スリーブの外周面に周方向に沿い、前記外周面に接触しながら延在する第一パイプと、一端が前記第一パイプの上端に接続され、他端が前記一端よりも上方となるように形成された第二パイプと、上端が前記第二パイプの上端に接続されて上下方向に延在する第三パイプと、前記第三パイプの下端と前記第一パイプの下端とを接続する第四パイプと、を有するヒートパイプと、を有してよい。
上記スリーブ冷却機構において、前記第三パイプは、前記第三パイプの外周から囲む筒状をなすヒートパイプ用ダクトを有していてもよい。
上記スリーブ冷却機構において、前記第三パイプは、前記第三パイプの外周面に接合され、前記第三パイプに沿って延在する金属製の第一ヒートパイプ用フィンを有してよい。
上記スリーブ冷却機構において、前記第三パイプと並列となるように、前記第二パイプ及び前記第四パイプに接続された第五パイプと、前記第五パイプの外周面に接合され、前記第五パイプの延在方向と交差する主面を有する複数の第二ヒートパイプ用フィンと、を有してよい。
上記スリーブ冷却機構において、前記スリーブの外周面に周方向に沿い、前記外周面に接触しながら延在する第五パイプであって、前記スリーブの周方向で前記第一パイプとは異なる範囲に配置された第五パイプと、前記第五パイプの上端に接続され、他端が前記一端よりも上方となるように形成された第六パイプと、上端が前記第六パイプの上端に接続されて上下方向に延在する第七パイプと、前記第七パイプの下端と前記第五パイプの下端とを接続する第八パイプと、を有する第二ヒートパイプと、前記第二ヒートパイプに封入された冷媒と、をさらに有してよい。
本発明の第四の態様によれば、スリーブ冷却機構は、配管を支持するスリーブを冷却するスリーブ冷却機構であって、前記スリーブの外周面に接触する構造体を有する。
上記スリーブ冷却機構において、前記構造体は、前記スリーブの外周面に面接触する円筒面を有し前記スリーブに固定するクランプ部と、前記クランプ部に接合されたフィンと、を有してよい。
上記スリーブ冷却機構において、前記フィンは、前記スリーブの軸線方向を向く主面を有する板状をなし、周方向に複数に分割されていてよい。